(57)【要約】【課題】導通部材に大きな電流を流すことができ、導通部材の可撓性の低下を抑制することができ、且つ幅方向の大型化を抑制することができるコネクタを提供する。【解決手段】ソケットコネクタ１０は、固定ハウジング２２と、可動ハウジング２４と、導通部６０とを有する。固定ハウジング２２は、第１基板１６に固定される。可動ハウジング２４は、プラグコネクタ１２がＺ方向に挿抜される。導通部６０は、第１ソケット端子６２及び第２ソケット端子８２を有し、固定ハウジング２２と可動ハウジング２４とを相対移動可能に連結し且つプラグ端子１４と導通される。第１ソケット端子６２は、板状に形成され、Ｙ方向に弾性変形可能な第１弾性部６８を有する。第２ソケット端子８２は、板状に形成され、Ｙ方向に弾性変形可能とされ且つＹ方向から見た場合に、第１弾性部６８と少なくとも一部が重なる第２弾性部８８を有する。【選択図】図１１
2019192347.tif 000002
【特許請求の範囲】
【請求項１】
基板に固定された固定ハウジングと、
導体部を有する接続対象物が挿抜方向に挿抜される可動ハウジングと、
前記固定ハウジングと前記可動ハウジングとを相対移動可能に連結し且つ前記導体部と導通される導通手段と、
を有するコネクタであって、
前記導通手段は、
板状に形成され、少なくとも板厚方向に弾性変形可能な第１弾性部を有する一の導通部材と、
板状に形成され、少なくとも前記板厚方向に弾性変形可能とされ且つ前記板厚方向から見た場合に、前記第１弾性部と少なくとも一部が重なる第２弾性部を有する他の導通部材と、
を有するコネクタ。
【請求項２】
前記一の導通部材における前記第１弾性部よりも前記可動ハウジング側には、前記導体部と接触される第１接触部が形成され、
前記他の導通部材における前記第２弾性部よりも前記可動ハウジング側には、前記導体部及び前記第１接触部の少なくとも一方と接触される第２接触部が形成されている請求項１に記載のコネクタ。
【請求項３】
前記第１接触部は、前記板厚方向と前記挿抜方向とに直交する幅方向に並んで複数配置され前記導体部と接触される複数の第１端子部を有し、
前記第２接触部は、前記板厚方向から見た場合に少なくとも一部が前記複数の第１端子部の間に配置され且つ前記導体部と接触される第２端子部を有する請求項２に記載のコネクタ。
【請求項４】
前記第１接触部及び前記第２接触部は、前記板厚方向と前記挿抜方向とに直交する幅方向及び前記挿抜方向に延びる板状に形成されている請求項２に記載のコネクタ。
【請求項５】
前記一の導通部材には、前記固定ハウジングに取付けられる第１固定側取付部が形成され、前記他の導通部材には、前記固定ハウジングに取付けられる第２固定側取付部が形成され、
前記第１固定側取付部及び前記第２固定側取付部は、前記板厚方向に接触されている請求項１から請求項４のいずれか１項に記載のコネクタ。
【請求項６】
前記一の導通部材には、前記可動ハウジングに取付けられる第１可動側取付部が形成され、前記他の導通部材には、前記可動ハウジングに取付けられる第２可動側取付部が形成され、
前記第１可動側取付部及び前記第２可動側取付部は、前記板厚方向に接触されている請求項１から請求項５のいずれか１項に記載のコネクタ。
【請求項７】
前記第１弾性部と前記第２弾性部とは、前記板厚方向と前記挿抜方向とに直交する幅方向の幅、及び板厚が、それぞれ揃えられている請求項１から請求項６のいずれか１項に記載のコネクタ。
【発明の詳細な説明】
【技術分野】
【０００１】
本発明は、コネクタに関する。
【背景技術】
【０００２】
特許文献１のコネクタは、基板に固定される固定ハウジングと、固定ハウジングに対して移動自在な可動ハウジングと、可動ハウジングを移動自在に支持する弾性変形可能な一対の端子とから構成されている。端子の可動部は、幅方向に間隔をおいて端子の長手方向に延びる複数の帯状部からなる。
【先行技術文献】
【特許文献】
【０００３】
【特許文献１】特開２０１３−１２０７０２号公報
【発明の概要】
【発明が解決しようとする課題】
【０００４】
特許文献１のコネクタにおいて、導通部材（端子部材）に大きな電流を流すには、導通部材の厚さを厚くし又は導通部材の幅を広げて、導通部材の断面積を大きくすればよい。しかし、導通部材の厚さを厚くした場合には、導通部材の厚さ方向の可撓性が低くなる。また、導通部材の幅を広げた場合には、幅方向にコネクタが大型化してしまう。つまり、導通部材に大きな電流を流し、導通部材の可撓性の低下を抑制し、且つコネクタの幅方向の大型化を抑制するには、改善の余地がある。
【０００５】
本発明は、導通部材に大きな電流を流すことができ、導通部材の可撓性の低下を抑制することができ、且つ幅方向の大型化を抑制することができるコネクタを提供することを目的とする。
【課題を解決するための手段】
【０００６】
第１態様に係るコネクタは、基板に固定された固定ハウジングと、導体部を有する接続対象物が挿抜方向に挿抜される可動ハウジングと、前記固定ハウジングと前記可動ハウジングとを相対移動可能に連結し且つ前記導体部と導通される導通手段と、を有するコネクタであって、前記導通手段は、板状に形成され、少なくとも板厚方向に弾性変形可能な第１弾性部を有する一の導通部材と、板状に形成され、少なくとも前記板厚方向に弾性変形可能とされ且つ前記板厚方向から見た場合に、前記第１弾性部と少なくとも一部が重なる第２弾性部を有する他の導通部材と、を有する。
【０００７】
第１態様に係るコネクタでは、一の導通部材に加えて他の導通部材も有していることで、１つの導通部材を用いる構成に比べて、電流が流れる導通路の断面積が増加するので、導通部材に大きな電流を流すことができる。また、一の導通部材と他の導通部材とが別体として存在するので、必要な断面積を得るために１つの導通部材の板厚を厚くした構成に比べて、導通部材を板厚方向に変形させ易い。換言すると、導通部材の可撓性の低下を抑制することができる。さらに、板厚方向から見た場合に、第２弾性部の少なくとも一部が第１弾性部と重なる配置とされていることで、一の導通部材と他の導通部材とを幅方向にずらす必要がなくなるので、コネクタの幅方向の大型化を抑制することができる。
【０００８】
第２態様に係るコネクタの前記一の導通部材における前記第１弾性部よりも前記可動ハウジング側には、前記導体部と接触される第１接触部が形成され、前記他の導通部材における前記第２弾性部よりも前記可動ハウジング側には、前記導体部及び前記第１接触部の少なくとも一方と接触される第２接触部が形成されている。
【０００９】
第２態様に係るコネクタでは、第２弾性部よりも可動ハウジング側に形成された第２接触部が、導体部又は第１接触部と接触する構成とされている。換言すると、第１弾性部及び第２弾性部が直接、導体部と接触する構成にはなっておらず、弾性変形される部位から離れた部位が導体部と接触する構成になっている。これにより、第１弾性部及び第２弾性部が導体部と直接、接触する構成と比べて、各導通部材と導体部との接触面積の変化を抑制することができる。
【００１０】
第３態様に係るコネクタの前記第１接触部は、前記板厚方向と前記挿抜方向とに直交する幅方向に並んで複数配置され前記導体部と接触される複数の第１端子部を有し、前記第２接触部は、前記板厚方向から見た場合に少なくとも一部が前記複数の第１端子部の間に配置され且つ前記導体部と接触される第２端子部を有する。
【００１１】
第３態様に係るコネクタでは、板厚方向から見た場合に、第２端子部の少なくとも一部が複数の第１端子部の間に配置される。このため、第２端子部が板厚方向に変形された場合に、第２端子部の移動が第１端子部によって制限され難くなる。さらに、第１端子部の間の空間を第２端子部の移動空間として利用しているので、移動空間を確保するために一の導通部材に対して他の導通部材の全体を幅方向にずらして配置する必要が無い。このように、第２端子部の移動が制限されるのを抑制し且つコネクタが大型化するのを抑制することができる。
【００１２】
第４態様に係るコネクタの前記第１接触部及び前記第２接触部は、前記板厚方向と前記挿抜方向とに直交する幅方向及び前記挿抜方向に延びる板状に形成されている。
【００１３】
第４態様に係るコネクタでは、第１接触部及び第２接触部が挿抜方向及び幅方向に延びる板状に形成されているので、第１接触部及び第２接触部が幅方向に間隔をあけた複数の小片部で構成されたものと比べて、幅方向の隙間が減る。これにより、第１接触部及び第２接触部の挿抜方向と直交する断面の面積が確保されるので、各導通部材に大きな電流を流すことができる。
【００１４】
第５態様に係るコネクタの前記一の導通部材には、前記固定ハウジングに取付けられる第１固定側取付部が形成され、前記他の導通部材には、前記固定ハウジングに取付けられる第２固定側取付部が形成され、前記第１固定側取付部及び前記第２固定側取付部は、前記板厚方向に接触されている。
【００１５】
第５態様に係るコネクタでは、固定ハウジングに対して、第１固定側取付部及び第２固定側取付部が接触した状態で取付けられる。このため、第１固定側取付部と第２固定側取付部とが板厚方向に離れて取付けられる構成に比べて、コネクタの大型化を抑制することができる。
【００１６】
第６態様に係るコネクタの前記一の導通部材には、前記可動ハウジングに取付けられる第１可動側取付部が形成され、前記他の導通部材には、前記可動ハウジングに取付けられる第２可動側取付部が形成され、前記第１可動側取付部及び前記第２可動側取付部は、前記板厚方向に接触されている。
【００１７】
第６態様に係るコネクタでは、可動ハウジングに対して、第１可動側取付部及び第２可動側取付部が接触した状態で取付けられる。このため、第１可動側取付部と第２可動側取付部とが板厚方向に離れて取付けられる構成に比べて、コネクタの大型化を抑制することができる。
【００１８】
第７態様に係るコネクタの前記第１弾性部と前記第２弾性部とは、前記板厚方向と前記挿抜方向とに直交する幅方向の幅、及び板厚が、それぞれ揃えられている。
【００１９】
第７態様に係るコネクタでは、第１弾性部と第２弾性部とについて、板厚及び幅方向の幅がそれぞれ揃えられている。つまり、一の導通部材と他の導通部材とについて、断面積の差が小さくなるので、一の導通部材と他の導通部材とに電流を均等に流すことができる。
【発明の効果】
【００２０】
本発明によれば、導通部材に大きな電流を流すことができ、導通部材の可撓性の低下を抑制することができ、且つ幅方向の大型化を抑制することができる。
【図面の簡単な説明】
【００２１】
【図１】第１実施形態に係るソケットコネクタの斜視図である。
【図２】第１実施形態に係るプラグコネクタの斜視図である。
【図３】第１実施形態に係るソケットコネクタの側面図である。
【図４】第１実施形態に係る固定ハウジングの斜視図である。
【図５】第１実施形態に係る可動ハウジングの斜視図である。
【図６】第１実施形態に係る第１ソケット端子の斜視図である。
【図７】第１実施形態に係る第１ソケット端子の側面図である。
【図８】第１実施形態に係る第２ソケット端子の斜視図である。
【図９】第１実施形態に係る第２ソケット端子の側面図である。
【図１０Ａ】第１実施形態に係る第１弾性部と第２弾性部とが重なった状態を示す説明図である。
【図１０Ｂ】第１実施形態に係る第１端子部及び第２端子部の配置を示す説明図である。
【図１１】第１実施形態に係るソケットコネクタにプラグ端子を接続する状態を示す説明図である。
【図１２】第１実施形態に係る固定ハウジング及び可動ハウジングに第１ソケット端子及び第２ソケット端子を取付けた状態を示す説明図である。
【図１３】第２実施形態に係るソケットコネクタの内部を示す構成図である。
【図１４】変形例に係るソケットコネクタの内部を示す説明図である。
【発明を実施するための形態】
【００２２】
[第１実施形態]
第１実施形態に係るソケットコネクタ１０及びプラグコネクタ１２について説明する。
【００２３】
〔全体構成〕
図１に示すソケットコネクタ１０は、コネクタの一例であり、いわゆるフローティングコネクタとされている。ソケットコネクタ１０には、後述するプラグコネクタ１２（図２参照）が挿抜される。以後の説明では、ソケットコネクタ１０におけるプラグコネクタ１２が挿抜される挿抜方向をＺ方向と称する。Ｚ方向と直交する面内（図示省略）において、ソケットコネクタ１０の長手方向をＸ方向と称し、短手方向をＹ方向と称する。Ｘ方向、Ｙ方向及びＺ方向は、互いに直交する。Ｘ方向は、幅方向の一例である。Ｙ方向は、板厚方向の一例である。
【００２４】
ソケットコネクタ１０におけるＺ方向の中央に対する一方側と他方側とを区別する場合には、プラグコネクタ１２に近い側をＺ側と称し、プラグコネクタ１２から遠い側を−Ｚ側と称する。ソケットコネクタ１０におけるＸ方向の中央に対する一方側と他方側とを区別する場合には、後述する基準面２６Ａを正面視した状態で、右側をＸ側と称し、左側を−Ｘ側と称する。ソケットコネクタ１０におけるＹ方向の中央に対する一方側と他方側とを区別する場合には、基準面２６Ａを正面視した状態で、奥側をＹ側と称し、手前側を−Ｙ側と称する。なお、各図においては、図面を見易くするために、一部の符号を省略している場合がある。
【００２５】
ソケットコネクタ１０は、基板の一例としての第１基板１６に実装されている。第１基板１６には、Ｚ方向に貫通された図示しない貫通孔が形成されている。プラグコネクタ１２は、第２基板１８（図２参照）に実装されている。ここで、ソケットコネクタ１０とプラグコネクタ１２とが接続（嵌合）されることで、第１基板１６の図示しない回路と、第２基板１８の図示しない回路とが導通される。
【００２６】
＜プラグコネクタ＞
図２に示すプラグコネクタ１２は、接続対象物の一例である。また、プラグコネクタ１２は、プラグハウジング１３と、導体部の一例としてのプラグ端子１４とを有する。プラグハウジング１３は、絶縁性を有する樹脂で構成されている。また、プラグハウジング１３は、ソケットコネクタ１０（図１参照）との接続状態において、Ｘ−Ｙ面に沿って配置される矩形状の底面１３Ａと、底面１３Ａの外縁でＺ方向に直立する側壁１３Ｂとを有する。プラグ端子１４は、Ｙ方向を板厚方向とする平板状に形成されている。また、プラグ端子１４は、底面１３ＡからＺ方向に沿って、側壁１３Ｂと同じ側（−Ｚ側）に向けて直立されている。
【００２７】
〔要部構成〕
次に、ソケットコネクタ１０の詳細について説明する。
【００２８】
図１に示すソケットコネクタ１０は、第１基板１６に固定された１つの固定ハウジング２２と、プラグコネクタ１２（図２参照）がＺ方向に挿抜される１つの可動ハウジング２４と、プラグ端子１４（図２参照）と導通される６つの導通部６０とを有する。なお、固定ハウジング２２と可動ハウジング２４とをまとめてハウジング２０と称する。
【００２９】
なお、ソケットコネクタ１０は、Ｙ方向の中央に対してＹ側と−Ｙ側とで同様（対称）の構成とされている。また、ソケットコネクタ１０は、Ｘ方向の中央に対してＸ側と−Ｘ側とで同様（対称）の構成とされている。このため、以後の説明では、ソケットコネクタ１０の−Ｙ側及びＸ側の構成について説明し、Ｙ側及び−Ｘ側の構成の説明を省略する場合がある。
【００３０】
＜固定ハウジング＞
図４に示す固定ハウジング２２は、絶縁性を有する樹脂で構成されている。また、固定ハウジング２２は、一例として、Ｘ方向に延在されＹ方向に対向する１組の側壁２６と、１組の側壁２６のＸ方向両端部をＹ方向に繋ぐ１組の側壁２８とを有する。つまり、固定ハウジング２２は、Ｚ方向から見た場合に、Ｘ方向を長手方向としＹ方向を短手方向とする矩形状の外形を有しており、角筒状とされている。１組の側壁２６及び１組の側壁２８で囲まれた空間を可動空間３１と称する。
【００３１】
側壁２６は、一例として、Ｙ方向を厚さ方向とする板状に形成されている。また、側壁２６は、Ｙ方向から見た場合に、Ｘ方向を長手方向としＺ方向を短手方向とする矩形状に形成されている。なお、−Ｙ側の側壁２６において、−Ｙ側の側面を基準面２６Ａと称する。側壁２６には、Ｘ方向に間隔をあけて３箇所の窪み部３２が形成されている。側壁２６の窪み部３２が形成された部位は、Ｘ方向から見た場合の断面形状がＬ字状とされている。
【００３２】
図１及び図３に示す側壁２６のうち、窪み部３２が形成された部位で且つＺ方向に直立する部位を縦壁３３と称する。また、側壁２６のうち、窪み部３２が形成された部位で且つＸ−Ｙ面に沿った部位を底壁３４と称する。縦壁３３及び底壁３４には、Ｙ方向及びＺ方向に貫通された貫通孔３５が形成されている。貫通孔３５は、Ｙ方向から見た場合に、Ｘ方向に沿った２辺とＺ方向に沿った２辺とを有する四角形状に形成されている。貫通孔３５を介して、可動空間３１と側壁２６に対する外側の空間とが繋がっている。
【００３３】
図４に示す側壁２６をＹ方向から見た場合に、底壁３４（図１参照）よりも−Ｚ側に配置され且つＸ−Ｚ面に沿った部位を側板３６と称する。側板３６は、Ｙ方向を厚さ方向としてＸ方向に延びている。また、側壁２６をＹ方向から見た場合に、貫通孔３５よりもＺ側に配置され且つＸ−Ｙ面に沿った部位を上板３７と称する。上板３７は、Ｚ方向を厚さ方向としてＸ方向に延びている。
【００３４】
側壁２６の−Ｚ側端部（下端部）には、３組の溝部３８が、１つの窪み部３２に対して１組配置されるように、Ｘ方向に間隔をあけて形成されている。１組の溝部３８は、Ｘ方向に対向され且つＺ方向に延びる２つの溝３８Ａを有する。一方の溝３８Ａは、側板３６のＸ側端部に隣接して形成され、−Ｘ側に向けて開口されている。他方の溝３８Ａは、側板３６の−Ｘ側端部に隣接して形成され、Ｘ側に向けて開口されている。それぞれの溝３８Ａは、Ｚ方向から見た場合の断面形状がＵ字状の断面を有する。
【００３５】
側壁２６におけるそれぞれの貫通孔３５の間の部位を、柱４２と称する。柱４２は、Ｚ方向に延びる四角柱状に形成されている。また、柱４２のＺ方向中央よりも−Ｚ側には、可動空間３１側に向けてＹ方向の幅が拡幅された拡幅部４４が形成されている。拡幅部４４の可動空間３１側の側面は、Ｘ−Ｚ面に沿った平面とされている。また、拡幅部４４の−Ｚ側の底面は、Ｘ−Ｙ面に沿った平面とされている。
【００３６】
＜可動ハウジング＞
図５に示す可動ハウジング２４は、上壁４６と、Ｙ方向に対向配置された１組の側壁４８と、Ｘ方向に対向配置された１組の側壁５２と、Ｙ−Ｚ面に沿って配置された２つの隔壁５４とを有する。可動ハウジング２４の全体は、−Ｚ側が開口された略直方体状に形成されている。また、可動ハウジング２４は、可動空間３１（図４参照）内に収容可能で、且つＸ方向、Ｙ方向及びＺ方向に移動可能となる形状及び大きさを有する。
【００３７】
可動ハウジング２４の内側は、２つの隔壁５４によって、Ｘ方向に３つの空間部５６に区分されている。また、隔壁５４のＹ方向両端部には、それぞれＹ方向の外側へ向けて突出された突出部５５が形成されている。突出部５５は、可動空間３１（図４参照）内において、Ｚ方向に移動されるときのストッパとして機能する。空間部５６は、−Ｚ側に向けて開口されている。
【００３８】
上壁４６は、Ｘ方向を長手方向、Ｙ方向を短手方向、Ｚ方向を厚さ方向とする矩形板状に形成されている。上壁４６には、一例として、Ｘ方向に間隔をあけて３箇所の差込口４６Ａが形成されている。差込口４６Ａは、プラグ端子１４（図２参照）をＺ方向に沿って挿入及び抜き出し可能となる形状及び大きさを有する。
【００３９】
側壁４８は、Ｙ方向を厚さ方向とする板状に形成されている。また、側壁４８は、Ｙ方向から見た場合に、Ｘ方向を長手方向としＺ方向を短手方向とする矩形状に形成されている。側壁４８の−Ｚ側端部（下端部）には、３組の溝部５８が、１つの空間部５６に対して１組配置されるように、Ｘ方向に間隔をあけて形成されている。１組の溝部５８は、Ｘ方向に対向され且つＺ方向に延びる２つの溝５８Ａを有する。一方の溝５８Ａは、−Ｘ側に向けて開口されている。他方の溝５８Ａは、Ｘ側に向けて開口されている。それぞれの溝５８Ａは、Ｚ方向から見た場合の断面形状がＵ字状の断面を有する。
【００４０】
側壁５２は、Ｘ方向を厚さ方向とする板状に形成されている。また、側壁５２は、Ｘ方向から見た場合に、Ｚ方向を長手方向としＹ方向を短手方向とする矩形状に形成されている。
【００４１】
＜導通部＞
図３に示す導通部６０は、導通手段の一例である。６つの導通部６０は、Ｙ方向に対向される２つを１組として、Ｘ方向に間隔をあけて３組配置されている。具体的には、導通部６０は、１つの空間部５６（図５参照）に対して２つ配置されている。２つの導通部６０は、一方が空間部５６のＹ方向中央に対するＹ側に配置され、他方が−Ｙ側に配置されている。そして、導通部６０は、固定ハウジング２２と可動ハウジング２４とを相対移動可能に連結している。また、導通部６０は、一例として、一の導通部材の一例としての１つの第１ソケット端子６２（図６参照）と、他の導通部材の一例としての１つの第２ソケット端子８２（図８参照）とを有する。
【００４２】
（第１ソケット端子）
図６及び図７に示す第１ソケット端子６２は、板状の導電性金属からなり、プレス加工によって形成されている。具体的には、第１ソケット端子６２は、一例として、第１固定側取付部６４、第１基板取付部６６、第１弾性部６８及び第１接触部７２を有する。第１固定側取付部６４、第１基板取付部６６、第１弾性部６８及び第１接触部７２は、一例として、一体化されている。
【００４３】
第１固定側取付部６４及び第１基板取付部６６は、Ｙ方向を板厚方向として配置されている。第１弾性部６８の一部及び第１接触部７２の一部は、Ｙ方向を板厚方向として配置されている。ここで、第１ソケット端子６２は、一例として、Ｘ方向、Ｙ方向及びＺ方向に弾性変形可能とされている。
【００４４】
第１固定側取付部６４は、一例として、Ｙ方向から見た場合に、Ｘ方向を長手方向としＺ方向を短手方向とする略矩形の平板状に形成されている。第１固定側取付部６４のＸ方向の両端部には、Ｘ側及び−Ｘ側に向けて台形状に突出された突出部６５（図１０Ａ参照）が形成されている。突出部６５が既述の溝３８Ａ（図４参照）に対してＺ方向に差し込まれる（圧入される）ことで、第１固定側取付部６４が、固定ハウジング２２（図３参照）に取付けられている。
【００４５】
第１基板取付部６６は、一例として、第１固定側取付部６４における−Ｚ側端部から、第１固定側取付部６４に対する−Ｚ側に向けて延びる２つの脚部６７で構成されている。２つの脚部６７は、Ｘ方向に間隔をあけて配置されている。また、２つの脚部６７は、第１基板１６（図１参照）の図示しない貫通孔に挿通された状態で半田付けされることで、第１基板１６に固定され且つ第１基板１６内の図示しない回路と導通されている。換言すると、第１ソケット端子６２は、第１基板１６に実装されている。
【００４６】
第１弾性部６８は、一例として、第１固定側取付部６４におけるＺ側端部において、Ｘ方向に間隔をあけて４つ並んでいる。また、第１弾性部６８は、Ｘ方向、Ｙ方向及びＺ方向に弾性変形可能に構成されている。具体的には、４つの第１弾性部６８は、同様の構成とされている。また、４つの第１弾性部６８は、Ｘ方向に長さＬ１〔ｍｍ〕の間隔をあけて配置されている。１つの第１弾性部６８のＸ方向の幅は、長さＬ２〔ｍｍ〕の幅とされている。長さＬ２は、長さＬ１よりも僅かに短い。
【００４７】
第１弾性部６８は、一例として、基部６８Ａ、湾曲部６８Ｂ、縦板部６８Ｃ及び折返部６８Ｄを有する。基部６８Ａは、Ｘ方向及びＹ方向に変位可能とされている。湾曲部６８Ｂ、縦板部６８Ｃ及び折返部６８Ｄは、Ｘ方向、Ｙ方向及びＺ方向に変位可能とされている。
【００４８】
基部６８Ａは、第１固定側取付部６４のＺ側端部からＺ方向に沿って、第１固定側取付部６４に対するＺ側に向けて延在されている。また、基部６８Ａは、Ｙ方向から見た場合に、Ｘ方向を短手方向としＺ方向を長手方向とする矩形状に形成されている。基部６８ＡのＺ方向の長さは、第１固定側取付部６４のＺ方向の長さよりも長い。湾曲部６８Ｂは、基部６８ＡのＺ側端部に連続して形成されている。また、湾曲部６８Ｂは、Ｘ方向から見た場合に、逆Ｕ字状に形成されている。
【００４９】
縦板部６８Ｃは、湾曲部６８Ｂの基部６８Ａ側とは反対側の端部から、Ｚ方向に沿って、−Ｚ側に向けて延在されている。また、縦板部６８Ｃは、基部６８ＡとＹ方向に対向されている。折返部６８Ｄは、縦板部６８Ｃの−Ｚ側端部に連続して形成されている。また、折返部６８Ｄは、Ｘ方向から見た場合に、Ｕ字状に形成されている。このように、第１弾性部６８は、Ｘ方向から見た場合に全体がＳ字状に形成されている。
【００５０】
第１接触部７２は、第１ソケット端子６２における第１弾性部６８よりもＺ側（可動ハウジング２４（図１参照）側）に形成された部位である。また、第１接触部７２は、プラグ端子１４と接触される。具体的には、第１接触部７２は、一例として、第１可動側取付部７４と、４つの第１端子部７６とを有する。
【００５１】
第１可動側取付部７４は、一例として、Ｙ方向から見た場合に、Ｘ方向を長手方向としＺ方向を短手方向とする略矩形の平板状に形成されている。第１可動側取付部７４の−Ｚ側端部には、折返部６８ＤのＺ側端部が繋がっている。第１可動側取付部７４のＸ方向の両端部には、Ｘ側及び−Ｘ側に向けて台形状に突出された突出部７７が形成されている。なお、−Ｘ側の突出部７７の図示は省略されている。突出部７７が既述の溝５８Ａ（図５参照）に対してＺ方向に差し込まれる（圧入される）ことで、第１可動側取付部７４が、可動ハウジング２４（図５参照）に取付けられている。第１可動側取付部７４のＺ方向の長さは、第１固定側取付部６４のＺ方向の長さよりも長い。
【００５２】
４つの第１端子部７６は、Ｘ方向に間隔をあけて並んで配置され、プラグ端子１４（図２参照）と接触される。また、４つの第１端子部７６は、同様の構成とされている。さらに、４つの第１端子部７６は、第１可動側取付部７４におけるＺ側端部からＺ側に向けて延びている。第１端子部７６は、Ｘ方向から見た場合に、第１可動側取付部７４よりもＹ側に向けて突出するように、山型に屈曲されている。
【００５３】
また、第１端子部７６は、Ｙ方向から見た場合に、−Ｚ側の部位のＸ方向の幅が、Ｚ側の部位のＸ方向の幅よりも拡げられた略台形状に形成されている。そして、第１端子部７６は、Ｙ方向に弾性変形可能とされている。４つの第１端子部７６のＺ側端部は、Ｘ方向に長さＬ３〔ｍｍ〕の間隔をあけて配置されている。１つの第１端子部７６におけるＺ側端部のＸ方向の幅は、長さＬ４〔ｍｍ〕の幅とされている。長さＬ４は、長さＬ３よりも短い。
【００５４】
（第２ソケット端子）
図８及び図９に示す第２ソケット端子８２は、板状の導電性金属からなり、プレス加工によって形成されている。具体的には、第２ソケット端子８２は、一例として、第２固定側取付部８４、第２基板取付部８６、第２弾性部８８及び第２接触部９２を有する。第２固定側取付部８４、第２基板取付部８６、第２弾性部８８及び第２接触部９２は、一例として、一体化されている。
【００５５】
第２固定側取付部８４及び第２基板取付部８６は、Ｙ方向を板厚方向として配置されている。第２弾性部８８の一部及び第２接触部９２の一部は、Ｙ方向を板厚方向として配置されている。ここで、第２ソケット端子８２は、一例として、Ｘ方向、Ｙ方向及びＺ方向に弾性変形可能とされている。
【００５６】
第２固定側取付部８４は、一例として、Ｙ方向から見た場合に、Ｘ方向を長手方向としＺ方向を短手方向とする略矩形の平板状に形成されている。第２固定側取付部８４のＸ方向の両端部には、Ｘ側及び−Ｘ側に向けて台形状に突出された突出部８５（図１０Ａ参照）が形成されている。突出部８５が既述の溝３８Ａ（図４参照）に対してＺ方向に差し込まれる（圧入される）ことで、第２固定側取付部８４が、固定ハウジング２２（図４参照）に取付けられている。第２固定側取付部８４は、第１固定側取付部６４（図６参照）とＹ方向に接触される。
【００５７】
第２基板取付部８６は、一例として、第１固定側取付部８４における−Ｚ側端部から、第２固定側取付部８４に対する−Ｚ側に向けて延びる２つの脚部８７で構成されている。２つの脚部８７は、Ｘ方向に間隔をあけて配置されている。また、２つの脚部８７は、第１基板１６（図１参照）の図示しない貫通孔に挿通された状態で半田付けされることで、第１基板１６に固定され且つ第１基板１６内の図示しない回路と導通されている。換言すると、第２ソケット端子８２は、第１基板１６に実装されている。
【００５８】
第２弾性部８８は、一例として、第２固定側取付部８４におけるＺ側端部において、Ｘ方向に間隔をあけて４つ並んでいる。また、第２弾性部８８は、Ｘ方向、Ｙ方向及びＺ方向に弾性変形可能に構成されている。具体的には、４つの第２弾性部８８は、同様の構成とされている。また、４つの第２弾性部８８は、Ｘ方向に長さＬ１〔ｍｍ〕の間隔をあけて配置されている。１つの第２弾性部８８のＸ方向の幅は、長さＬ２〔ｍｍ〕の幅とされている。
【００５９】
第２弾性部８８は、一例として、基部８８Ａ、湾曲部８８Ｂ、縦板部８８Ｃ及び折返部８８Ｄを有する。基部８８Ａは、Ｘ方向及びＹ方向に変位可能とされている。湾曲部８８Ｂ、縦板部８８Ｃ及び折返部８８Ｄは、Ｘ方向、Ｙ方向及びＺ方向に変位可能とされている。
【００６０】
基部８８Ａは、第２固定側取付部８４のＺ側端部からＺ方向に沿って、第１固定側取付部８４に対するＺ側に向けて延在されている。さらに、基部８８Ａは、Ｙ方向から見た場合に、Ｘ方向を短手方向としＺ方向を長手方向とする矩形状に形成されている。基部８８ＡのＺ方向の長さは、第２固定側取付部８４のＺ方向の長さよりも長い。
【００６１】
湾曲部８８Ｂは、基部８８ＡのＺ側端部に連続して形成されている。また、湾曲部８８Ｂは、Ｘ方向から見た場合に、逆Ｕ字状に形成されている。縦板部８８Ｃは、湾曲部８８Ｂの基部８８Ａ側とは反対側の端部から、Ｚ方向に沿って、−Ｚ側に向けて延在されている。また、縦板部８８Ｃは、基部８８ＡとＹ方向に対向されている。折返部８８Ｄは、縦板部８８Ｃの−Ｚ側端部に連続して形成されている。また、折返部８８Ｄは、Ｘ方向から見た場合に、Ｕ字状に形成されている。このように、第２弾性部８８は、Ｘ方向から見た場合に全体がＳ字状に形成されている。
【００６２】
第２接触部９２は、第２ソケット端子８２における第２弾性部８８よりもＺ側（可動ハウジング２４（図１参照）側）に形成された部位である。また、第２接触部９２は、プラグ端子１４と接触される。具体的には、第２接触部９２は、一例として、第２可動側取付部９４と、４つの第２端子部９６とを有する。
【００６３】
第２可動側取付部９４は、一例として、Ｙ方向から見た場合に、Ｘ方向を長手方向としＺ方向を短手方向とする略矩形の平板状に形成されている。また、第２可動側取付部９４は、第１可動側取付部７４（図６参照）とＹ方向に接触される。第２可動側取付部９４は、第１可動側取付部７４よりもＺ方向の長さが短い構成とされている。第２可動側取付部９４の−Ｚ側端部には、折返部８８ＤのＺ側端部が繋がっている。第２可動側取付部９４のＸ方向の両端部には、Ｘ側及び−Ｘ側に向けて台形状に突出された突出部９７が形成されている。なお、−Ｘ側の突出部９７の図示は省略されている。
【００６４】
突出部９７が既述の溝５８Ａ（図５参照）に対してＺ方向に差し込まれる（圧入される）ことで、第２可動側取付部９４が、可動ハウジング２４（図５参照）に取付けられている。第２可動側取付部９４のＺ方向の長さは、第２固定側取付部８４のＺ方向の長さよりも長い。
【００６５】
４つの第２端子部９６は、Ｘ方向に間隔をあけて並んで配置され、プラグ端子１４（図２参照）と接触される。また、４つの第２端子部９６は、同様の構成とされている。さらに、４つの第２端子部９６は、第２可動側取付部９４におけるＺ側端部からＺ側に向けて延びている。第２端子部９６は、Ｘ方向から見た場合に、第２可動側取付部９４よりもＹ側に向けて突出するように、山型に屈曲されている。また、第２端子部９６は、Ｙ方向から見た場合に、−Ｚ側の部位のＸ方向の幅が、Ｚ側の部位のＸ方向の幅よりも拡げられた略台形状に形成されている。そして、第２端子部９６は、Ｙ方向に弾性変形可能とされている。
【００６６】
４つの第２端子部９６のＺ側端部は、Ｘ方向に長さＬ３の間隔をあけて配置されている。１つの第２端子部９６におけるＺ側端部のＸ方向の幅は、長さＬ４の幅とされている。ここで、第２ソケット端子８２と第１ソケット端子６２（図６参照）とは、一例として、第２可動側取付部９４と第１可動側取付部７４（図６参照）との大きさの違いを除いて、同様の構成とされている。
【００６７】
具体的には、第１弾性部６８と第２弾性部８８とは、Ｙ方向の板厚、Ｘ方向の間隔（長さＬ１）、及びＸ方向の幅（長さＬ２）が、それぞれ揃えられている。また、第１端子部７６と第２端子部９６とは、Ｙ方向の板厚、Ｘ方向の間隔（長さＬ３）、及びＸ方向の幅（長さＬ４）が、それぞれ揃えられている。
【００６８】
＜ソケットコネクタの組立＞
図１１及び図１２に示すように、第１可動側取付部７４及び第２可動側取付部９４が、Ｙ方向に重ねられた状態で可動ハウジング２４の溝部５８に圧入されることで、可動ハウジング２４に取付けられる。そして、固定ハウジング２２の可動空間３１に可動ハウジング２４が挿入される。このときに、第１固定側取付部６４及び第２固定側取付部８４が、Ｙ方向に重ねられた状態で固定ハウジング２２の溝部３８に圧入されることで、固定ハウジング２２に取付けられる。同様の方法により、他の第１ソケット端子６２及び第２ソケット端子８２が、固定ハウジング２２及び可動ハウジング２４に取付けられる。これにより、ソケットコネクタ１０が出来上がる。
【００６９】
導通部６０は、固定ハウジング２２と可動ハウジング２４とをＸ方向、Ｙ方向及びＺ方向に相対移動可能に連結し、且つプラグ端子１４と導通される。第１固定側取付部６４及び第２固定側取付部８４は、Ｙ方向に接触されている。第１可動側取付部７４及び第２可動側取付部９４は、Ｙ方向に接触されている。
【００７０】
図１０Ａに示すように、組付け状態において、第１ソケット端子６２及び第２ソケット端子８２をＹ方向の−Ｙ側から見た場合に、４つの第２弾性部８８は、４つの第１弾性部６８と重なっている。具体的には、第１弾性部６８と第２弾性部８８とは、Ｘ方向の幅及び間隔が等しく且つ幅を揃えて重なっているため、Ｙ方向から見た場合に、第１弾性部６８が視認され、第２弾性部８８が視認されない状態となっている。換言すると、第１弾性部６８は、第２弾性部８８を覆うように配置されている。
【００７１】
なお、第１弾性部６８と第２弾性部８８とは、Ｙ方向から見た場合に重なって見えるが、全体が接触しているわけではない。具体的には、基部６８Ａと基部８８Ａとの間、湾曲部６８Ｂと湾曲部８８Ｂとの間、縦板部６８Ｃと縦板部８８Ｃとの間、折返部６８Ｄと折返部８８Ｄとの間に、それぞれ隙間があいている。このため、プラグコネクタ１２がソケットコネクタ１０に接続される場合において、第１弾性部６８及び第２弾性部８８の一方の弾性変形は、他方によって規制され難い。換言すると、第１弾性部６８及び第２弾性部８８は、Ｙ方向に厚肉とされた１つの弾性部を用いる構成に比べて、弾性変形され易い。
【００７２】
図１０Ｂに示すように、組付け状態において、第１ソケット端子６２及び第２ソケット端子８２をＹ方向のＹ側から見た場合に、４つの第２端子部９６のＺ側端部は、Ｘ方向に隣合う４つの第１端子部７６の間に配置されている。換言すると、４つの第１端子部７６及び４つの第２端子部９６は、Ｘ方向に交互に並んでいる。また、４つの第２端子部９６のＺ側端部は、４つの第１端子部７６のＺ側端部よりも−Ｚ側に配置されている。つまり、４つの第１端子部７６及び４つの第２端子部９６は、Ｘ方向にジグザグ状に配置されている。そして、第１端子部７６及び第２端子部９６は、プラグ端子１４（図２参照）と接触される。
【００７３】
＜板ばねの撓み量＞
図示は省略するが、板ばねについて、撓み量（可撓性に相当する量）δ〔ｍｍ〕、荷重Ｐ〔Ｎ〕、支点から荷重Ｐが作用する点までの距離Ｌ〔ｍｍ〕、縦弾性係数Ｅ〔Ｎ／ｍｍ２〕、断面２次モーメントＩ〔ｍｍ４〕とする。この場合に、撓み量δは、δ＝（Ｐ×Ｌ３）／（３×Ｅ×Ｉ）で表される。また、板ばねの幅ｂ〔ｍｍ〕、板厚ｈ〔ｍｍ〕として、断面２次モーメントＩは、Ｉ＝ｂ×ｈ３／１２で表される。これらの関係式から、可撓性は、板厚ｈが薄くなるほど大きくなることが分かる。特に、板厚ｈは、可撓性に対して３乗で効いてくる。
【００７４】
〔作用並びに効果〕
次に、第１実施形態のソケットコネクタ１０の作用並びに効果について、図１から図１２までを参照して説明する。
【００７５】
プラグ端子１４が、可動ハウジング２４の差込口４６Ａに挿入され且つ−Ｚ側に向けて移動されることで、プラグ端子１４と第１端子部７６及び第２端子部９６とが接触される。換言すると、プラグコネクタ１２とソケットコネクタ１０とが接続されることで、第１基板１６の図示しない回路と第２基板１８の図示しない回路とが導通される。このとき、第１端子部７６及び第２端子部９６が元の位置に戻ろうとする弾性力（復元力）によって、プラグ端子１４がソケットコネクタ１０に保持される。
【００７６】
ソケットコネクタ１０では、第１ソケット端子６２に加えて第２ソケット端子８２も有していることで、１つの導通部材を用いる構成に比べて、電流が流れる導通路の断面積が増加する。このため、第１ソケット端子６２及び第２ソケット端子８２（導通部６０）に大きな電流を流すことができる。
【００７７】
さらに、第１ソケット端子６２と第２ソケット端子８２とが別体として存在するので、必要な断面積を得るために１つの導通部材の板厚を厚くした構成に比べて、第１ソケット端子６２の板厚及び第２ソケット端子８２の板厚は、それぞれ薄くなる。ここで、既述の通り、板厚が薄くなるほど、板ばねの撓み量（ねじれ方向の変形量も含む）は大きくなる。このため、第１ソケット端子６２及び第２ソケット端子８２のそれぞれをＹ方向及びＸ方向に変形させ易い。即ち、第１ソケット端子６２及び第２ソケット端子８２の可撓性の低下を抑制することができる。
【００７８】
加えて、Ｙ方向から見た場合に、第２弾性部８８が第１弾性部６８と重なる配置とされていることで、第１ソケット端子６２と第２ソケット端子８２とをＸ方向にずらす必要がなくなるので、ソケットコネクタ１０のＸ方向の大型化を抑制することができる。つまり、ソケットコネクタ１０では、第１ソケット端子６２及び第２ソケット端子８２に大きな電流を流すことができ、第１ソケット端子６２及び第２ソケット端子８２の可撓性の低下を抑制することができ、且つＸ方向の大型化を抑制することができる。
【００７９】
また、ソケットコネクタ１０では、第１接触部７２及び第２接触部９２が、プラグ端子１４と接触する構成とされている。換言すると、第１弾性部６８及び第２弾性部８８が直接、プラグ端子１４と接触する構成にはなっておらず、弾性変形される部位から離れた部位がプラグ端子１４と接触する構成になっている。これにより、第１弾性部６８及び第２弾性部８８がプラグ端子１４と直接、接触する構成と比べて、第１ソケット端子６２及び第２ソケット端子８２とプラグ端子１４との接触面積の変化を抑制することができる。
【００８０】
さらに、ソケットコネクタ１０では、Ｙ方向から見た場合に、第２端子部９６が複数の第１端子部７６の間に配置される。このため、第１端子部７６及び第２端子部９６の一方がＹ方向に変形された場合に、他方によって移動が制限され難くなる。さらに、第１端子部７６の間の空間を第２端子部９６の移動空間として利用しているので、移動空間を確保するために、第１ソケット端子６２に対して第２ソケット端子８２の全体をＸ方向にずらして配置する必要が無い。このように、ソケットコネクタ１０では、第１端子部７６及び第２端子部９６の移動が制限されるのを抑制し且つソケットコネクタ１０が大型化するのを抑制することができる。
【００８１】
加えて、ソケットコネクタ１０では、固定ハウジング２２に対して、第１固定側取付部６４及び第２固定側取付部８４が接触した状態で取付けられる。このため、第１固定側取付部６４と第２固定側取付部８４とがＹ方向に離れて取付けられる構成に比べて、取付けに必要な空間が小さくて済むので、Ｙ方向におけるソケットコネクタ１０の大型化を抑制することができる。さらに、第１固定側取付部６４及び第２固定側取付部８４を積層した状態で取付けられるので、一度の圧入で第１ソケット端子６２及び第２ソケット端子８２を固定ハウジング２２に取付けられる。
【００８２】
また、ソケットコネクタ１０では、可動ハウジング２４に対して、第１可動側取付部７４及び第２可動側取付部９４が接触した状態で取付けられる。このため、第１可動側取付部７４と第２可動側取付部９４とがＹ方向に離れて取付けられる構成に比べて、取付けに必要な空間が小さくて済むので、Ｙ方向におけるソケットコネクタ１０の大型化を抑制することができる。さらに、第１可動側取付部７４及び第２可動側取付部９４を積層した状態で取付けられるので、一度の圧入で第１ソケット端子６２及び第２ソケット端子８２を可動ハウジング２４に取付けられる。
【００８３】
加えて、ソケットコネクタ１０では、第１弾性部６８と第２弾性部８８とについて、Ｙ方向の板厚、及びＸ方向の幅がそれぞれ揃えられている。つまり、第１ソケット端子６２と第２ソケット端子８２とについて、断面積の差が小さくなるので、第１ソケット端子６２と第２ソケット端子８２とに電流を均等に流すことができる。
【００８４】
[第２実施形態]
次に、第２実施形態に係るコネクタの一例としてのソケットコネクタ１００について説明する。なお、第１実施形態のソケットコネクタ１０（図１参照）と同様の構成については、第１実施形態と同じ符号を付して説明を省略する。同様の構成とは、大きさ及び形状が同じ構成に限らず、大きさ及び形状が一部異なるものの、同じ作用が得られる構成も含む。
【００８５】
図１３に示すソケットコネクタ１００は、接続対象物の一例としてのプラグコネクタ１１２と接続される。プラグコネクタ１１２は、プラグハウジング１３（図２参照）と、導体部の一例としてのプラグ端子１１４とを有する。プラグ端子１１４は、プラグハウジング１３からＺ方向に延びている。また、プラグ端子１１４は、Ｘ方向から見た場合に、Ｙ側又は−Ｙ側に向けて突出するように、山型に屈曲されている。
【００８６】
ソケットコネクタ１００は、ソケットコネクタ１０（図１参照）に換えて、第１基板１６（図１参照）に実装されている。また、ソケットコネクタ１００は、可動ハウジング２４（図５参照）に換えて、可動ハウジング１０２が設けられた構成とされている。さらに、ソケットコネクタ１００は、ソケットコネクタ１０において、第１ソケット端子６２（図６参照）に換えて第２ソケット端子１０６が設けられ、第２ソケット端子８２（図８参照）に換えて第１ソケット端子１０４が設けられた構成とされている。
【００８７】
第１ソケット端子１０４は、他の導通部材の一例である。第２ソケット端子１０６は、一の導通部材の一例である。第１ソケット端子１０４及び第２ソケット端子１０６により導通手段の一例としての導通部１０３が構成されている。なお、ソケットコネクタ１００において、第１ソケット端子１０４、第２ソケット端子１０６及び可動ハウジング１０２以外の構成については、ソケットコネクタ１０と同様の構成とされている。
【００８８】
＜可動ハウジング＞
可動ハウジング１０２は、可動ハウジング２４（図５参照）において、差込口４６Ａ（図５参照）に換えて、差込口１０８が形成された構成とされている。差込口１０８以外の構成は、可動ハウジング２４と同様とされている。差込口１０８のＹ方向の幅は、差込口４６ＡのＹ方向の幅よりも拡大されている。これにより、プラグ端子１１４は、差込口１０８を通して可動ハウジング１０２の内側へ、Ｚ方向に挿入可能とされている。差込口１０８のＸ方向の幅は、差込口４６ＡのＸ方向の幅と同等とされている。
【００８９】
＜第１ソケット端子＞
第１ソケット端子１０４は、板状の導電性金属からなり、プレス加工によって形成されている。また、第１ソケット端子１０４は、第１固定側取付部６４、第１基板取付部６６、第１弾性部６８及び第１接触部１１７を有する。第１固定側取付部６４、第１基板取付部６６、第１弾性部６８及び第１接触部１１７は、一体化されている。
【００９０】
第１接触部１１７は、第１ソケット端子１０４における第１弾性部６８よりもＹ側（可動ハウジング１０２側）に形成された部位である。また、第１接触部１１７は、プラグ端子１１４と接触される。具体的には、第１接触部１１７は、一例として、Ｚ方向及びＸ方向に延びる１枚の平板状に形成されている。また、Ｙ方向から見た場合に、第１接触部１１７は、Ｘ方向に沿った１組の２辺と、Ｚ方向に沿った１組の２辺とを有する略四角形状に形成されている。
【００９１】
第１接触部１１７のＸ方向の両端部で且つ−Ｚ側端部には、Ｘ側及び−Ｘ側に向けて台形状に突出された図示しない突出部が形成されている。この突出部が溝５８Ａに対してＺ方向に差し込まれることで、第１接触部１１７が、可動ハウジング１０２に取付けられている。換言すると、第１接触部１１７は、第１可動側取付部の一例としても構成されている。
【００９２】
＜第２ソケット端子＞
第２ソケット端子１０６は、板状の導電性金属からなり、プレス加工によって形成されている。また、第２ソケット端子１０６は、第２固定側取付部８４、第２基板取付部８６、第２弾性部８８及び第２接触部１１８を有する。第２固定側取付部８４、第２基板取付部８６、第２弾性部８８及び第２接触部１１８は、一体化されている。
【００９３】
第２接触部１１８は、第２ソケット端子１０６における第２弾性部８８よりもＹ側（可動ハウジング１０２側）に形成された部位である。具体的には、第２接触部１１８は、一例として、Ｚ方向及びＸ方向に延びる１枚の平板状に形成されている。また、Ｙ方向から見た場合に、第２接触部１１８は、Ｘ方向に沿った１組の２辺と、Ｚ方向に沿った１組の２辺とを有する略四角形状に形成されている。
【００９４】
第２接触部１１８のＸ方向の両端部で且つ−Ｚ側端部には、Ｘ側及び−Ｘ側に向けて台形状に突出された図示しない突出部が形成されている。この突出部が溝５８Ａに対してＺ方向に差し込まれることで、第２接触部１１８が、可動ハウジング１０２に取付けられている。換言すると、第２接触部１１８は、第２可動側取付部の一例としても構成されている。
【００９５】
さらに、第２接触部１１８は、Ｙ方向において、可動ハウジング１０２と第１接触部１１７とで挟まれている。つまり、第２接触部１１８は、第１接触部１１７と接触されている。また、第２接触部１１８は、Ｙ側から見た場合に、第１接触部１１７に覆われており、プラグ端子１１４とは接触されない構成とされている。
【００９６】
第１固定側取付部６４及び第２固定側取付部８４が固定ハウジング２２に取付けられ、第１接触部１１７及び第２接触部１１８が可動ハウジング１０２に取付けられることで、ソケットコネクタ１００が形成される。ソケットコネクタ１００が形成された状態において、Ｙ方向から見た場合に、第２弾性部８８は、第１弾性部６８と重ねられている。
【００９７】
〔作用並びに効果〕
次に、第２実施形態のソケットコネクタ１００の作用並びに効果について説明する。
【００９８】
図１３に示すプラグ端子１１４と、第１接触部１１７とが接触されることで、第１基板１６（図１参照）と第２基板１８（図２参照）とが導通される。ソケットコネクタ１００では、第１ソケット端子１０４に加えて第２ソケット端子１０６も有していることで、１つの導通部材を用いる構成に比べて、電流が流れる導通路の断面積が増加する。このため、第１ソケット端子１０４及び第２ソケット端子１０６（導通部１０３）に大きな電流を流すことができる。
【００９９】
さらに、第１ソケット端子１０４と第２ソケット端子１０６とが別体として存在するので、必要な断面積を得るために１つの導通部材の板厚を厚くした構成に比べて、第１ソケット端子１０４の板厚及び第２ソケット端子１０６の板厚は、それぞれ薄くなる。ここで、既述の通り、板厚が薄くなるほど、板ばねの撓み量（ねじれ方向の変形量も含む）は大きくなる。このため、第１ソケット端子１０４及び第２ソケット端子１０６のそれぞれをＹ方向及びＸ方向に変形させ易い。即ち、第１ソケット端子１０４及び第２ソケット端子１０６の可撓性の低下を抑制することができる。
【０１００】
加えて、Ｙ方向から見た場合に、第２弾性部８８が第１弾性部６８と重なる配置とされていることで、第１ソケット端子１０４と第２ソケット端子１０６とをＸ方向にずらす必要がなくなるので、ソケットコネクタ１００のＸ方向の大型化を抑制することができる。つまり、ソケットコネクタ１００では、第１ソケット端子１０４及び第２ソケット端子１０６に大きな電流を流すことができ、第１ソケット端子１０４及び第２ソケット端子１０６の可撓性の低下を抑制することができ、且つＸ方向の大型化を抑制することができる。
【０１０１】
また、ソケットコネクタ１００では、第１接触部１１７及び第２接触部１１８がＺ方向及びＸ方向に延びる平板状に形成されているので、第１接触部１１７及び第２接触部１１８がＸ方向に間隔をあけた複数の小片部で構成されたものと比べて、Ｘ方向の隙間が減る。これにより、第１接触部１１７及び第２接触部１１８のＺ方向と直交する断面の面積が確保されるので、第１ソケット端子１０４及び第２ソケット端子１０６に大きな電流を流すことができる。
【０１０２】
なお、本発明は、上記の実施形態に限定されない。
【０１０３】
＜変形例＞
図１４には、コネクタの一例として、変形例のソケットコネクタ１２０が示されている。ソケットコネクタ１２０は、ソケットコネクタ１０（図１１参照）において、第２端子部９６（図１１参照）が取除かれ、且つ第１可動側取付部７４と第２可動側取付部９４とがＹ方向に接触された構成とされている。換言すると、ソケットコネクタ１２０では、第１端子部７６のみがプラグ端子１４と接触されるようになっている。また、ソケットコネクタ１２０における第１端子部７６のＸ方向の幅は、一例として、ソケットコネクタ１０における第１端子部７６のＸ方向の幅の２倍とされている。
【０１０４】
ソケットコネクタ１２０では、第１端子部７６（第１接触部７２）のみがプラグ端子１４と接触される構成となっており、第２ソケット端子８２をプラグ端子１４に接触させる必要がない。これにより、Ｚ方向にずれて配置された第１ソケット端子６２及び第２ソケット端子８２の両方がプラグ端子１４と接触される構成に比べて、プラグコネクタ１２をＺ方向に小型化することが可能となる。なお、第２ソケット端子８２は、第１可動側取付部７４と第２可動側取付部９４との接触により、プラグ端子１４と導通される。
【０１０５】
＜他の変形例＞
ソケットコネクタ１０において、第１弾性部６８及び第２弾性部８８は、一方のＸ方向の幅が他方のＸ方向の幅より広くてもよい。つまり、第１弾性部６８と第２弾性部８８とは、Ｙ方向から見た場合に、少なくとも一部が重なるように配置されていればよい。また、第１弾性部６８の板厚と第２弾性部８８の板厚とは、異なっていてもよい。さらに、ソケットコネクタ１０において、第１接触部７２及び第２接触部９２が無く、第１弾性部６８及び第２弾性部８８がプラグ端子１４と接触する構成としてもよい。
【０１０６】
また、ソケットコネクタ１０において、複数の第１端子部７６の間に第２端子部９６が配置されていなくてもよい。換言すると、第１端子部７６と第２端子部９６とがＹ方向に並び且つＺ方向にずれて配置されていてもよい。さらに、ソケットコネクタ１０において、第１固定側取付部６４と第２固定側取付部８４とがＹ方向に離れていてもよい。加えて、ソケットコネクタ１０において、第１可動側取付部７４と第２可動側取付部９４とがＹ方向に離れていてもよい。
【０１０７】
ソケットコネクタ１００において、第１接触部１１７と第２接触部１１８とがＹ方向に離れて配置されていてもよい。また、第１接触部１１７のＺ方向の長さが第２接触部１１８のＺ方向の長さよりも短くされ、第２接触部１１８とプラグ端子１１４とが接触され、且つ第１接触部１１７が第２接触部１１８と接触する構成とされていてもよい。さらに、ソケットコネクタ１００において、第１固定側取付部６４と第２固定側取付部８４とがＹ方向に離れていてもよい。
【０１０８】
導通部６０の数は、６つに限らず、単数又は６つ以外の複数であってもよい。第２ソケット端子８２、１０６は、それぞれ１つに限らず、複数あってもよい。Ｙ方向から見た場合に、複数の第２弾性部８８が、第１弾性部６８とＸ方向に並んで配置されていればよい。第１弾性部６８、第２弾性部８８の数は、それぞれ、単数又は４つ以外の複数であってもよい。第１端子部７６の数は、４つ以外の複数であってもよい。第２端子部９６の数は、単数又は４つ以外の複数であってもよい。第１固定側取付部６４、第１可動側取付部７４、第２固定側取付部８４、第２可動側取付部９４は、圧入により取付けられるものに限らず、接着剤を用いて取付けられるものや、ネジ等の締結部材を用いて取付けられるものであってもよい。
【符号の説明】
【０１０９】
１０  ソケットコネクタ（コネクタの一例）
１２  プラグコネクタ（接続対象物の一例）
１４  プラグ端子（導体部の一例）
１６  第１基板（基板の一例）
２２  固定ハウジング
２４  可動ハウジング
６０  導通部（導通手段の一例）
６２  第１ソケット端子（一の導通部材の一例）
６４  第１固定側取付部
６８  第１弾性部
７２  第１接触部
７４  第１可動側取付部
７６  第１端子部
８２  第２ソケット端子（他の導通部材の一例）
８４  第２固定側取付部
８８  第２弾性部
９２  第２接触部
９４  第２可動側取付部
９６  第２端子部
１００  ソケットコネクタ（コネクタの一例）
１０２  可動ハウジング
１０３  導通部（導通手段の一例）
１０４  第１ソケット端子（他の導通部材の一例）
１０６  第２ソケット端子（一の導通部材の一例）
１１２  プラグコネクタ（接続対象物の一例）
１１４  プラグ端子（導体部の一例）
１１７  第１接触部
１１８  第２接触部
１２０  ソケットコネクタ（コネクタの一例）
【図１】
2019192347.tif 000003
【図２】
2019192347.tif 000004
【図３】
2019192347.tif 000005
【図４】
2019192347.tif 000006
【図５】
2019192347.tif 000007
【図６】
2019192347.tif 000008
【図７】
2019192347.tif 000009
【図８】
2019192347.tif 000010
【図９】
2019192347.tif 000011
【図１０Ａ】
2019192347.tif 000012
【図１０Ｂ】
2019192347.tif 000013
【図１１】
2019192347.tif 000014
【図１２】
2019192347.tif 000015
【図１３】
2019192347.tif 000016
【図１４】
2019192347.tif 000017